(57)【要約】【課題】電源ソケット自体に成長した霜によって、電源プラグが電源ソケットから脱落してしまう不都合を回避することが可能となる電源接続装置を提供する。【解決手段】本発明の電源接続装置は、低温ショーケース１の陳列室５と冷気ダクト９とを仕切る仕切板６に取り付けられた電源ソケット２７と電源ソケット２７に接続される電源プラグ２８とから構成された電源接続装置２５であって、電源ソケット２７は、容器状の取付ベース３１と、取付ベース３１を構成する外周壁３２の内側に所定の間隔を存して突出形成された電極部３５とを有すると共に、電源プラグ２８は、電極部３５に電気的に接続される電源用端子５０等と、端子５０等を内包する周壁部４９とを有し、電源プラグ２８は、端子５０等が電源ソケット２７の電極部３５に接続された状態で、当該電源ソケット３７に着脱可能に係合する。【選択図】図３
2007311249.tif 000002
【特許請求の範囲】
【請求項１】
低温ショーケースの陳列室と冷気ダクトとを仕切る仕切板に取り付けられた電源ソケットと該電源ソケットに接続される電源プラグとから構成された電源接続装置において、
前記電源ソケットは、容器状の取付ベースと、該取付ベースを構成する外周壁の内側に所定の間隔を存して突出形成された電極部とを有すると共に、
前記電源プラグは、前記電極部に電気的に接続される端子と、該端子を内包する周壁部とを有し、
該電源プラグは、前記端子が前記電源ソケットの電極部に接続された状態で、当該電源ソケットに着脱可能に係合することを特徴とする電源接続装置。
【請求項２】
前記電源プラグの周壁部外面には、前記電源ソケットの外周壁内面に形成された被係合部に着脱可能に係合する係合部が形成されていることを特徴とする請求項１に記載の電源接続装置。
【請求項３】
前記電源ソケットの電極部外周面、又は、前記電源プラグの周壁部内周面には、当該周壁部と前記電極部との間をシールするシール材が設けられていることを特徴とする請求項２に記載の電源接続装置。
【請求項４】
前記電源ソケットの外周壁は、内部中空の二重構造とされていることを特徴とする請求項１乃至請求項３の何れかに記載の電源接続装置。
【請求項５】
前記電源プラグが接続されていない状態で前記電源ソケットの電極部を被覆する防滴カバーを備え、前記電源ソケットは、当該防滴カバーを着脱自在に保持する保持部を備えたことを特徴とする請求項１乃至請求項４の何れかに記載の電源接続装置。
【請求項６】
請求項１乃至請求項５の何れかに記載の電源接続装置を備えたことを特徴とする低温ショーケース。
【発明の詳細な説明】
【技術分野】
【０００１】
本発明は、蛍光灯などに電源を供給するためのショーケースの電源接続装置に関するものである。
【背景技術】
【０００２】
一般に、ショーケース等では、ショーケース本体の庫内に接続された電源ソケットとこの電源ソケットに差し込んで蛍光灯などに電源を供給する電源プラグとで構成された電源接続装置が設けられる。従来の電源接続装置は、例えば特許文献１に示すように、電源ソケットは、外周に周壁が形成され、当該周壁の内側には内方に電極部が形成された凹所が形成されている。この電極部には、電源用差込口が形成されている。他方、電源プラグは、蛍光灯などへの配線が接続された可動部と円筒部とを備え、円筒部の内側の底部には、端子が設けられている。そのため、電源ソケットの電極部に電源プラグを差し込む際には、電源プラグの端子を電源ソケットの電源用差込口に差し込むことにより行われる。
【０００３】
一方、当該電源接続装置に接続される電源プラグは、庫内に複数段架設される棚装置の前端下側に設けられる蛍光灯などの電源プラグであり、庫内のレイアウトを変更等する場合には、棚装置の架設位置が変更され、これに伴って、電源プラグが接続される電源ソケットが変更される。そのため、庫内背壁を構成する仕切板には、上下に渡って複数の電源ソケットが設けられているが、棚装置の位置によっては、電源プラグが接続される電源ソケットと、電源プラグが接続されない電源ソケットとが存在することとなる。
【０００４】
そのため、電源プラグが接続されない電源ソケットは、庫内温度が低下して結露水が発生すると、この結露水が電源ソケットに形成される電極部の内部に侵入するなどして漏電が発生する問題がある。そこで、上述した如き電源接続装置を構成する電源ソケットには、電極部を被覆するためのキャップが回動自在に設けられている。
【特許文献１】特開平１１−２７３７７５号公報
【発明の開示】
【発明が解決しようとする課題】
【０００５】
しかしながら、上述した如き電源接続装置では、電源ソケットに電源プラグが接続された状態であっても、当該電源ソケットが庫内と冷気通路とを区画する仕切板に設けられていることから、電源ソケット自体の温度が低下して結露水が発生し、この結露水が電源ソケットと電源プラグの間で着霜してしまう問題がある。当該氷は、次第に成長することで、電源プラグが電源ソケットから脱落してしまう問題がある。また、一度電源ソケットと電源プラグとの間に結露水が侵入し、霜が生成されてしまうと、当該霜を除去するまで、電源プラグを電源ソケットに確実に取り付けることが困難となる。
【０００６】
従来の電源接続装置においても、電源プラグの円筒部の円周部内側には周方向に延在する突部が形成されており、当該電源プラグが電源ソケットから容易に脱落してしまうことを抑制していた。しかし、係る構造では、電源プラグを電源ソケットに取り付ける際に、電源プラグの端子が、電源ソケットの電極部に対し適切な位置まで確実に挿入されたことを認識することができないため、中途までしか電源プラグが電源ソケットに取り付けられない場合が多く、係る場合には、着霜の成長によって電源プラグが電源ソケットから脱落してしまう問題や、着霜の影響以外にも、電源プラグが電源ソケットが脱落し易いという問題があった。
【０００７】
また、従来の電源接続装置では、電源プラグが接続されていない電源ソケットの電極部を被覆するためのキャップが電源ソケット自体に設けられているが、当該構成では、電源ソケット自体の構成が複雑となり、また、すべての電源ソケットにキャップ構造が採用されていることから部品点数が増加し、コストの高騰を招く問題があった。
【０００８】
そこで、本発明は従来の技術的課題を解決するためになされたものであり、電源ソケット自体に成長した霜によって、電源プラグが電源ソケットから脱落してしまう不都合を回避することが可能となる電源接続装置を提供する。
【課題を解決するための手段】
【０００９】
本発明の電源接続装置は、低温ショーケースの陳列室と冷気ダクトとを仕切る仕切板に取り付けられた電源ソケットと該電源ソケットに接続される電源プラグとから構成されたものであって、電源ソケットは、容器状の取付ベースと、該取付ベースを構成する外周壁の内側に所定の間隔を存して突出形成された電極部とを有すると共に、電源プラグは、電極部に電気的に接続される端子と、該端子を内包する周壁部とを有し、該電源プラグは、端子が電源ソケットの電極部に接続された状態で、当該電源ソケットに着脱可能に係合することを特徴とする。
【００１０】
請求項２の発明の電源接続装置は、上記発明において、電源プラグの周壁部外面には、電源ソケットの外周壁内面に形成された被係合部に着脱可能に係合する係合部が形成されていることを特徴とする。
【００１１】
請求項３の発明の電源接続装置は、上記発明において、電源ソケットの電極部外周面、又は、電源プラグの周壁部内周面には、当該周壁部と電極部との間をシールするシール材が設けられていることを特徴とする。
【００１２】
請求項４の発明の電源接続装置は、上記各発明において、電源ソケットの外周壁は、内部中空の二重構造とされていることを特徴とする。
【００１３】
請求項５の発明の電源接続装置は、上記各発明において、電源プラグが接続されていない状態で電源ソケットの電極部を被覆する防滴カバーを備え、電源ソケットは、当該防滴カバーを着脱自在に保持する保持部を備えたことを特徴とする。
【００１４】
請求項６の発明の低温ショーケースは、上記各発明の電源接続装置を備えたことを特徴とする。
【発明の効果】
【００１５】
本発明によれば、低温ショーケースの陳列室と冷気ダクトとを仕切る仕切板に取り付けられた電源ソケットと該電源ソケットに接続される電源プラグとから構成された電源接続装置において、電源ソケットは、容器状の取付ベースと、該取付ベースを構成する外周壁の内側に所定の間隔を存して突出形成された電極部とを有すると共に、電源プラグは、電極部に電気的に接続される端子と、該端子を内包する周壁部とを有し、該電源プラグは、端子が電源ソケットの電極部に接続された状態で、当該電源ソケットに着脱可能に係合するので、確実に電源プラグを電源ソケットに装着することが可能となる。
【００１６】
そのため、特に請求項６に示すような低温ショーケースに当該電源接続装置を用いた場合には、冷気に晒される電源ソケットと電源プラグ間に湿気が侵入して着霜し、当該霜が団塊状に成長することにより、電源プラグが電源ソケットから抜ける方向に押圧されても、電源ソケットから電源プラグが脱落、若しくは、電源プラグの端子と、電源ソケットの電極部とが接触不良となる不都合を回避することが可能となり、有効なものとなる。
【００１７】
請求項２の発明によれば、上記発明において、電源プラグの周壁部外面には、電源ソケットの外周壁内面に形成された被係合部に着脱可能に係合する係合部が形成されているので、電源プラグの周壁部外面に形成された係合部を電源ソケットの外周壁内面に形成された被係合部に係合させることで、これら係合部と被係合部との係合感を確認しながら取付作業を行うことが可能となり、より一層確実な取付を実現することが可能となる。
【００１８】
そのため、電源プラグを電源ソケットに確実に取り付けることが可能となることで、これら電源プラグと電源ソケット間に着霜の成長により、当該電源プラグが抜ける方向に押圧されても、電源ソケットから電源プラグが脱落、若しくは、電源プラグの端子と、電源ソケットの電極部とが接触不良となる不都合をより一層確実に回避することが可能となる。
【００１９】
請求項３の発明によれば、上記発明において、電源ソケットの電極部外周面、又は、電源プラグの周壁部内周面には、当該周壁部と電極部との間をシールするシール材が設けられているので、電源プラグの周壁部外面に形成された係合部と電源ソケットの外周壁内面に形成された被係合部との係合に干渉することなく、電源ソケットの周壁部、又は、電源プラグの周壁部内周面に設けられるシール材によって、電極部及び端子の接続部にまで湿気や結露水が侵入する不都合を抑制することが可能となる。これにより、結露水等の侵入により漏電等が発生する不都合を防止することが可能となる。
【００２０】
請求項４の発明によれば、上記各発明において、電源ソケットの外周壁は、内部中空の二重構造とされているので、当該電源ソケットの外周壁が低温ショーケースの冷気ダクト側に位置して取り付けられる場合であっても、当該二重構造によって、電源ソケット内部を断熱することが可能となり、従来の電源ソケットの構造に比して、当該電源ソケットの内部や、電源プラグが接続される電極部に結露水が生成する不都合を抑制することが可能となる。
【００２１】
これにより、結露水の生成量を低減することが可能となることから、電源ソケットの外周壁内方の着霜の生成や成長を著しく抑制することができ、電源プラグの接続に好適なものとなる。
【００２２】
また、請求項５の発明によれば、上記各発明において、電源プラグが接続されていない状態で電源ソケットの電極部を被覆する防滴カバーを備え、電源ソケットは、当該防滴カバーを着脱自在に保持する保持部を備えたので、電源プラグが接続されていない状態で、電源ソケットの電極部に防滴カバーを取り付けることで、電源ソケットの電極部が冷気に晒され、結露水が内部に侵入する不都合を抑制することが可能となる。
【００２３】
特に、当該防滴カバーは、保持部によって電源ソケットに着脱自在に保持されていることから、電源ソケットに電源プラグを接続して使用する場合においても、当該防滴カバーのみを別途保管しておく必要がなくなり、防滴カバーを紛失してしまう不都合を回避することが可能となる。更に、当該防滴カバーは、電源ソケットに着脱自在に保持されているため、電極部に電源プラグが接続されている場合には、当該電源ソケットから取り外し、他の電源ソケットの電極部に取り付けることが可能となる。
【００２４】
これにより、低温ショーケースに設けられるすべての電源ソケットに対し、防滴カバーを設ける必要がなくなり、部品コストの低減及び同一の部材を共用することで、利便性が向上される。
【発明を実施するための最良の形態】
【００２５】
以下、本発明を適用した低温ショーケース１について図を参照して説明する。図１は本発明を適用した低温ショーケース１の斜視図、図２は低温ショーケース１の概略縦断側面図を示している。低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連の冷気ダクト９が構成されている。
【００２６】
そして、このダクト９は陳列室５の開口上縁にて開口する吐出口１０と、開口下縁にて開口する吸込口１１に連通すると共に、背面の冷気ダクト９には冷却装置Ｒに含まれる冷却器１２が縦設され、底板７下方の冷気ダクト９内には送風機１３が設置される。
【００２７】
陳列室５内には、上下に渡って複数段の棚８・・が架設される。この棚８は、左右に取り付けられるブラケット６５、６５により、陳列室５内に設けられる支柱６４に保持される。当該支柱６４は、上下に渡って複数の係合孔が穿設されており、ブラケット６５の後端に形成される図示しない係合爪により当該支柱６４に架設される棚８は、任意に取付位置を変更することが可能とされる。そして、当該棚８の下面には、下側に架設される棚８上の商品や、陳列室５前方を照明するための照明灯１４が着脱自在に取り付けられている。
【００２８】
また、断熱壁２の前面開口の上縁には、吐出口１０の前側に位置してキャノピー１５が設けられ、当該キャノピー１５の下部には、陳列室５内や陳列室５周辺を上部から照明するための照明灯１６が取り付けられている。
【００２９】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００３０】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００３１】
次に、図３乃至図１２を参照して本発明の電源接続装置２５について詳述する。図３は電源接続装置２５の平面図、図４は電源ソケット２７の正面図、図５は電源ソケット２７の背面図、図６は電源ソケット２７の縦断側面図、図７は電源ソケット２７の防滴カバー３０を取り付けた正面図、図８は電源プラグ２８の正面図、図９は電源プラグ２８の側面図、図１０は電源プラグ２８の背面図、図１１は電源プラグ２８の一部切欠側面図、図１２は電源プラグ２８の下方から見た平面図を示している。
【００３２】
本実施例における電源接続装置２５は、上述した如き低温ショーケース１の陳列室５内を照明するために用いられる照明灯１４、１６に電源を供給するための装置であり、低温ショーケース１の陳列室５背面を構成する仕切板６に設置される電源ソケット２７と、この電源ソケット２７に差し込んで照明灯１４又は１６に電源を供給する電源プラグ２８とで構成される。本実施例では、電源接続装置２５は、各照明灯１４、１６ごとに対し、設けられるため、仕切板６には、上下に渡って複数、例えば、照明灯１４の数に対応して例えば同数或いはそれ以上の電源ソケット２７が支柱６４に沿って設けられる。
【００３３】
電源ソケット２７は、図４及び図６に示すように容器状の取付ベース３１により構成されており、当該取付ベース３１は、硬質合成樹脂等で形成される。この取付ベース３１を構成する外周壁３２は、後述するリード線の引出部を除く外周に渡って内部中空４０を構成する二重構造とされており、当該外周壁３２の端部には、外向きフランジ３３が形成されている。この外向きフランジ３３には、当該外向きフランジ３３よりも端面側に位置して、仕切板６を狭持するための固定爪３３Ａが形成されている。また、外周壁３２の内側には、凹所３４が形成されている。
【００３４】
この凹所３４の底部には、外周壁３２の内壁と所定の間隔を存して突出して電極部３５が形成される。この電極部３５には、２つの電源用差込口３６と、１つの接地用差込口３７とが設けられている。これら電源用差込口３６及び接地用差込口３７には、凹所３４の底部側から対応したリード線３８に電気的に接続されている。ここで、各差込口３６、３７に接続されたリード線３８は、外周壁３２に形成されるリード線引出部４１から外方に引き出されており、当該凹所３４の底部は、着脱自在に設けられる閉塞部材３９にて閉塞される。尚、上述した如き外周壁３２の内部中空４０を構成する二重構造の底部側は、当該閉塞部材３９にて閉塞される。
【００３５】
そして、この電極部３５の外周面には、リング状のシール材４３が取り付けられており、当該電極部３５の端部には、当該電源ソケット２７の外周壁３２側に向けて少許突出し、取り付けられたシール材４３が容易に脱落することを防止するための、ストッパー４４が形成されている。
【００３６】
また、電源ソケット２７の外周壁３２の内面、即ち、凹所３４を構成する側壁には、詳細は後述する電源プラグ２８に形成される係合部５３と、着脱可能に係合する被係合部４２、４２が形成されている。被係合部４２は、凹所３４の底壁と所定の間隔を存して、内方、即ち、電極部３５側に少許突出して形成される。尚、当該被係合部４２と、前記シール材４３との間に形成される隙間は、後述する電源プラグ２８の周壁部４９の厚さ寸法よりも少許大きな寸法を有しているものとする。本実施例では、当該被係合部４２は、相対向する二箇所に形成されている。
【００３７】
更にまた、電源ソケット２７の外周壁３２の端部には、端部にフランジが形成される防滴カバー保持部４５が取り付けられており、当該防滴カバー保持部４５には、防滴カバー３０が着脱自在に保持される。この防滴カバー３０は、電源用差込口３６及び接地用差込口３７が形成される電極部３５端面を被覆するカバー部３０Ａと、当該カバー部３０Ａと一体に形成される係止部３０Ｂとから形成されている。
【００３８】
カバー部３０Ａは、後面に前記電源用差込口３６及び接地用差込口３７に対応する突部が形成されていると共に、前面には、当該カバー部３０Ａを脱着操作するためのつまみ３０Ｃが形成されている。係止部３０Ｂは、くびれ部を介して防滴カバー保持部４５に係止可能とされる開口と、防滴カバー保持部４５との係止が開放される開口とが形成されており、当該係止部３０Ｂを変形させながら、防滴カバー保持部４５を防滴カバー保持部に係止可能とされる開口から防滴カバー保持部４５との係止が開放される開口へ、若しくは、係止が開放される開口から係止可能とされる開口へ移動させることで、防滴カバー３０を電源ソケット２７から取り外し可能とされる。また、防滴カバー保持部４５に係止可能とされる開口は、防滴カバー保持部４５よりも少許大きく形成されており、係止部３０Ｂが防滴カバー保持部４５に係止された状態では、当該防滴カバー３０は、回動自在とされている。
【００３９】
他方、上記電源ソケット２７の電極部３５に接続される電源プラグ２８は、合成樹脂等で成形された可動部４７と周壁部４９を有する円筒部４８とを備える。この円筒部４８の内側に位置する底部４８Ａには、図１０に示すように２つの電源用端子５０と一つの接地用端子５１が設けられており、当該端子５０等は、円筒部４８を構成する周壁部４９によって内包される。これら電源用端子５０及び接地用端子５１には、陳列室５内に取り付けられる照明灯１４、１６の給電線５２が電気的に接続されている。
【００４０】
そして、電源プラグ２８の周壁部４９の外面端部には、上述した如き電源ソケット２７の被係合部４２、４２に着脱可能に係合する係合部５３、５３が形成されている。係合部５３は、外方、即ち、電源ソケット２７に取り付けられた状態で、電源ソケット２７の
外周壁３２の内面側に向けて少許突出して形成される。当該係合部５３は、周壁部４９自体が、変形可能な材料にて構成されているものとする。尚、本実施例では、前記被係合部４２と対応して、相対向する二箇所に形成されている。
【００４１】
係る構成により、電源ソケット２７を前述した如き仕切板６に装着する際には、仕切板６に予め形成された図示しないソケット用孔に電源ソケット２７を陳列室５側から冷気ダクト９側に突出させて装着し、電源ソケット２７の固定爪３３Ａと外向きフランジ３３とで仕切板６を狭持させ、電源ソケット２７を仕切板６に固定する。これにより、電源ソケット２７の取付ベース３１の開口側、即ち、電源プラグ２８の接続側が陳列室５側に位置し、凹所３４の底部側が冷気ダクト９側に位置する。
【００４２】
係る電源ソケット２７の電極部３５に電源プラグ２８を接続する際には、防滴カバー３０にて電極部３５が被覆されている場合には、当該防滴カバー３０を電極部３５から外し当該電極部３５を露出させ、電源プラグ２８の電源用端子５０及び接地用端子５１をそれぞれ電源ソケット２７の電源用差込口５６及び接地用差込口３７に差し込む。
【００４３】
このとき、電源ソケット２７の電極部３５は、電源プラグ２８の周壁部４９によって、囲繞するように当該周壁部４９が電源ソケット２７の凹所３４内に進入させ、電源プラグ２８の周壁部４９の外面端部に形成された係合部５３、５３を、電源ソケット２７の外周壁３２内面に形成された被係合部４２、４２に係合させる。このとき、係合部５３が形成される電源プラグ２８の少なくとも周壁部４９は、変形可能な材料にて構成されていることから、当該電源プラグ２８が電源ソケット２７内に押し込まれる力によって変形し、これにより、係合部５３、５３が被係合部４２、４２を乗り越えることによって、係合部５３が被係合部４２に係合される。これにより、電源プラグ２８は、電源用端子５０及び接地用端子５１が電源ソケット２７の電極部３５に接続された状態で、確実に電源プラグ２８を電源ソケット２７に装着される。
【００４４】
そのため、本実施例のような低温ショーケース１に電源接続装置２５が取り付けられた場合であっても、冷気に晒される電源ソケット２７と電源プラグ２８間に湿気が侵入して着霜し、当該霜が団塊状に成長することにより、電源プラグ２８が電源ソケット２７から抜ける方向に押圧されても、電源プラグ２８の係合部５３と電源ソケット２７の被係合部４２とが確実に係合されるため、電源ソケット２７から電源プラグ２８が脱落、若しくは、電源プラグ２８の電源用端子５０及び接地用端子５１と、電源ソケット２７の電極部３５とが接触不良となる不都合を回避することが可能となる。
【００４５】
特に、本実施例では、電源プラグ２８の周壁部４９の外面端部に形成された係合部５３は、電源ソケット２７の外周壁３２内面に形成された被係合部４２を乗り越えることで、係合されることから、作業者は、これら係合部５３と被係合部４２との係合感を確認しながら、電源プラグ２８を電源ソケット２７の電極部３５に接続することが可能となる。これにより、確実な取付を実現することが可能となり、接続不良の発生を未然に回避することが可能となる。
【００４６】
そのため、当該構成によっても、これら電源プラグ２８と電源ソケット３８間に着霜の成長により、当該電源プラグ２８が抜ける方向に押圧されても、電源ソケット２７から電源プラグ２８が脱落、若しくは、電源プラグ２８の電源用端子５０等と、電源ソケット２７の電極部３５とが接触不良となる不都合をより一層確実に回避することが可能となる。
【００４７】
また、本実施例における電源ソケット２７の電極部３５の外周面には、シール材４３が設けられているため、電極部３５に電源プラグ２８が取り付けられた状態で、当該電源プラグ２８の周壁部４９の内周面と、電極部３５の外周面との間を確実にシールすることが可能となる。そのため、陳列室５内が冷却されて使用されることにより、電源ソケット２７及び電源プラグ２８が冷却され、結露水が付着した場合であっても、当該結露水や湿気が、電源プラグ２８の周壁部４９内周面と電極部３５間に侵入する不都合を抑制することができる。従って、電極部３５と電源用端子５０の接続部分にまで湿気や結露水が侵入することを回避することができ、漏電等が発生する不都合を防止することが可能となる。
【００４８】
尚、本実施例では、電源プラグ２８と電源ソケット２７とを係合する係合部５３及び被係合部４２は、電源プラグ２８の周壁部４９外面と、電源ソケット２７の外周壁３２の内面に形成されていることから、電極部３５の外周面と電源プラグ２８の内周面間に取り付けられるシール材４３によって、係合部５３と被係合部４２との係合が干渉される不都合を回避することが可能となる。
【００４９】
これにより、電極部３５と電源プラグ２８の電源用端子５０との電気的接続をより一層適切なものとすることが可能となり、特に、当該電源ソケット２７及び電源プラグ２８が冷却された環境、例えば、本実施例の如き低温ショーケース１などにて用いられる場合に極めて有用となる。
【００５０】
尚、本実施例では、シール材４３は、電源ソケット２７の電極部３５外周面に取り付けられているが、これに限定されるものではなく、電源プラグ２８の周壁部４９内周面に設けた場合であっても、同様の効果を得ることができる。
【００５１】
また、本実施例では、電源ソケット２７は仕切板６に取り付けられることから、取付ベース３１の開口側、即ち、電源プラグ２８の接続側が陳列室５側に位置し、凹所３４の底部側が冷気ダクト９側に位置するが、電源ソケット２７の外周壁３２は、上述したように、内部中空４０の二重構造とされているので、当該二重構造によって、電源ソケット２７内部を断熱することが可能となり、従来の電源ソケットの構造に比して、冷気ダクト９内を流通する冷気によって電源ソケット２７の内部や、電源プラグ２８が接続される電極部３５の温度が低下しがたくなり、結露水の生成を抑制することが可能となる。
【００５２】
これにより、結露水の生成量を低減することが可能となることから、電源ソケット２７の外周壁３２内方の着霜の生成や成長を著しく抑制することができ、電源プラグ２８の接続に好適なものとなる。
【００５３】
尚、陳列室５内に架設される棚８の取付位置を変更や追加や除去等により、陳列室５内のレイアウトが変更された場合には、現在、電源プラグ２８の電源ソケット２７の接続位置が変更されることとなる。この場合、電源プラグ２８が接続される電源ソケット２７と、電源プラグ２８が接続されない電源ソケット２７とが存在する。
【００５４】
係る場合において、電源プラグ２８が接続されないこととなった電源ソケット２７は、当該電源ソケット２７に防滴カバー保持部４５を介して設けられる防滴カバー３０により、電極部３５の差込口３６及び３７が形成される面を被覆する。これにより、電源プラグ２８が接続されない場合であっても、電極部３５が冷気に晒され、電極部３５内部に結露水等が侵入する不都合を回避することが可能となり、漏電等の発生を未然に回避することが可能となる。
【００５５】
特に、当該防滴カバー３０は、防滴カバー保持部４５によって電源ソケット４７に着脱自在に保持されていることから、電源ソケット４７に電源プラグ２８を接続して使用する場合においても、当該防滴カバー３０は、防滴カバー保持部４５に保持されたままとなり、防滴カバー３０のみを別途保管しておく必要がなくなる。これにより、防滴カバー３０を紛失してしまう不都合を回避することが可能となる。
【００５６】
更に、当該防滴カバー３０は、電源ソケット４７に着脱自在に保持されているため、電極部３５に電源プラグ２８が接続されている場合には、電源ソケット２７から取り外し、他の電源ソケット２７の電極部３５に取り付けることが可能となる。
【００５７】
これにより、低温ショーケース１に設けられるすべての電源ソケット２７に対し、防滴カバー３０を設ける必要がなくなり、部品コストの低減及び同一の部材を共用することで、利便性が向上される。
【００５８】
尚、本実施例では、電源プラグ２８は、陳列室５内に設けられる照明灯１４、１６の給電に用いられるものとして説明しているが、これに限定されるものではなく、他の電気機器への給電に用いるものであっても、同様の効果を奏することが可能である。
【図面の簡単な説明】
【００５９】
【図１】低温ショーケースの斜視図である。
【図２】低温ショーケースの概略縦断側面図である。
【図３】電源接続装置の平面図である。
【図４】電源ソケットの正面図である。
【図５】電源ソケットの背面図である。
【図６】電源ソケットの縦断側面図である。
【図７】電源ソケットの防滴カバーを取り付けた正面図である。
【図８】電源プラグの正面図である。
【図９】電源プラグの側面図である。
【図１０】電源プラグの背面図である。
【図１１】電源プラグの一部切欠側面図である。
【図１２】電源プラグの下方から見た平面図である。
【符号の説明】
【００６０】
１    低温ショーケース
５    陳列室
６    仕切板
８    棚
９    冷気ダクト
１２  冷却器
１４、１６  照明灯
２５  電源接続装置
２７  電源ソケット
２８  電源プラグ
３０  防滴カバー
３０Ａ  カバー部
３０Ｂ  係止部
３０Ｃ  つまみ
３１  取付ベース
３２  外周壁
３３  外向きフランジ
３３Ａ  固定爪
３４  凹所
３５  電極部
３６  電源用差込口
３７  接地用差込口
３８  リード線
３９  閉塞部材
４０  内部中空
４２  被係合部
４３  シール材
４５  防滴カバー保持部
４８  円筒部
４９  周壁部
５０  電源用端子
５１  接地用端子
【図１】
2007311249.tif 000003
【図２】
2007311249.tif 000004
【図３】
2007311249.tif 000005
【図４】
2007311249.tif 000006
【図５】
2007311249.tif 000007
【図６】
2007311249.tif 000008
【図７】
2007311249.tif 000009
【図８】
2007311249.tif 000010
【図９】
2007311249.tif 000011
【図１０】
2007311249.tif 000012
【図１１】
2007311249.tif 000013
【図１２】
2007311249.tif 000014